(57)【特許請求の範囲】
【請求項１】
一対の側壁と該一対の側壁を繋ぐ底壁とを有する一方、
前記一対の側壁間が収容対象範囲内の直径のワイヤハーネスを一本収容するためのハーネス収容空間となり、
前記一対の側壁の一方に連成され且つ傾斜して前記ハーネス収容空間を区画する弾性の第一接触保持片が前記ワイヤハーネスを保持するための第一の接触保持部分となり、
前記一対の側壁の他方に連成され且つ傾斜して前記ハーネス収容空間を区画する弾性の第二接触保持片が前記ワイヤハーネスを保持するための第二の接触保持部分となり、
前記第一接触保持片の先端及び前記第二接触保持片の先端間が前記ワイヤハーネスを前記ハーネス収容空間内に挿入するためのハーネス挿入部分となり、
前記一対の側壁に跨るように連成され且つ前記ハーネス収容空間内を横切るようにのび且つ前記ハーネス挿入部分に向けて凸となり且つ撓みが大きくなると前記凸の状態から凹の状態に反転可能な弾性のアーチ状接触部が前記ワイヤハーネスを保持するための第三の接触保持部分となる構造を有する
ことを特徴とするワイヤハーネス保持クリップ。
【請求項２】
請求項１に記載のワイヤハーネス保持クリップにおいて、
前記一対の側壁にも弾性を持たせる
ことを特徴とするワイヤハーネス保持クリップ。
【発明の詳細な説明】
【技術分野】
【０００１】
本発明は、ワイヤハーネス保持クリップに関し、詳しくは様々な直径のワイヤハーネスに対応するワイヤハーネス保持クリップに関する。
【背景技術】
【０００２】
ワイヤハーネスは複数の電線を束ねてなるものであることから、常に同じ直径のワイヤハーネスを製造することは困難である。つまり、ワイヤハーネスは、この直径にバラツキ（寸法公差程度の比較的小さなバラツキ）が生じてしまう製品である。
【０００３】
下記特許文献１には、直径のバラツキを吸収しつつワイヤハーネスを保持することが可能なワイヤハーネス保持構造に係る技術が開示されている。
【特許文献１】特開平１１−２８０９５２号公報
【発明の開示】
【発明が解決しようとする課題】
【０００４】
特許文献１に開示されたワイヤハーネス保持構造にあっては、上記の如くワイヤハーネスの直径のバラツキを吸収することができる反面、一つの保持構造で大きな直径や小さな直径となる様々な直径のワイヤハーネスに対応することはできない。従って、ワイヤハーネスの種類毎に保持構造を設定する必要があるが、これでは汎用性があるとは言えない。
【０００５】
本発明は、上記した事情に鑑みてなされたもので、様々な直径のワイヤハーネスに対応することが可能な構造を有するワイヤハーネス保持クリップを提供することを課題とする。
【課題を解決するための手段】
【０００６】
上記課題を解決するためになされた請求項１記載の本発明のワイヤハーネス保持クリップは、一対の側壁と該一対の側壁を繋ぐ底壁とを有する一方、前記一対の側壁間が収容対象範囲内の直径のワイヤハーネスを一本収容するためのハーネス収容空間となり、前記一対の側壁の一方に連成され且つ傾斜して前記ハーネス収容空間を区画する弾性の第一接触保持片が前記ワイヤハーネスを保持するための第一の接触保持部分となり、前記一対の側壁の他方に連成され且つ傾斜して前記ハーネス収容空間を区画する弾性の第二接触保持片が前記ワイヤハーネスを保持するための第二の接触保持部分となり、前記第一接触保持片の先端及び前記第二接触保持片の先端間が前記ワイヤハーネスを前記ハーネス収容空間内に挿入するためのハーネス挿入部分となり、前記一対の側壁に跨るように連成され且つ前記ハーネス収容空間内を横切るようにのび且つ前記ハーネス挿入部分に向けて凸となり且つ撓みが大きくなると前記凸の状態から凹の状態に反転可能な弾性のアーチ状接触部が前記ワイヤハーネスを保持するための第三の接触保持部分となる構造を有することを特徴としている。
【０００７】
このような特徴を有する本発明によれば、様々な直径のワイヤハーネスに対し三つの接触保持部分が弾性的に接触することでワイヤハーネスの保持がなされる。三つの接触保持部分のうちの一つとなるアーチ状接触部は、ワイヤハーネスの直径に合わせて撓み、特に直径の大きなワイヤハーネスに対しては、ワイヤハーネスに押されることにより凸の状態から凹の状態に反転して直径の違いを吸収する。
【０００８】
請求項２記載の本発明のワイヤハーネス保持クリップは、請求項１に記載のワイヤハーネス保持クリップにおいて、前記一対の側壁にも弾性を持たせることを特徴としている。
【０００９】
このような特徴を有する本発明によれば、アーチ状接触部が凸の状態から凹の状態に反転した時、この反転に伴って、一対の側壁には内側に倒れ込むような引っ張りの力が作用する。そして、引っ張りの力が作用すると、第一接触保持片及び第二接触保持片はワイヤハーネスに対してより強く接触する。第一接触保持片及び第二接触保持片により押圧されるワイヤハーネスは、抜け難い状態になる。ワイヤハーネスはアーチ状接触部によって弾性的に受け止められる。
【発明の効果】
【００１０】
請求項１に記載された本発明によれば、様々な直径のワイヤハーネスを三つの接触保持部分によってガタ付きのない良好な状態に保持することができるという効果を奏する。
【００１１】
請求項２に記載された本発明によれば、ワイヤハーネスの外れを防止することができるという効果を奏する。また、保持状態を安定させることができるという効果も奏する。
【発明を実施するための最良の形態】
【００１２】
以下、図面を参照しながら説明する。図１は本発明の一実施の形態を示す図であり、図１（ａ）はワイヤハーネス保持クリップの正面図、図１（ｂ）はワイヤハーネス保持クリップの斜視図である。また、図２（ａ）は直径の小さなワイヤハーネスを保持した状態の正面図、図２（ｂ）は直径の大きなワイヤハーネスを保持した状態の正面図である。さらに、図３（ａ）は直径の小さなワイヤハーネスを保持した状態の斜視図、図３（ｂ）は直径の大きなワイヤハーネスを保持した状態の斜視図である。
【００１３】
図１において、引用符号２１は本発明のワイヤハーネス保持クリップを示している。ワイヤハーネス保持クリップ２１は、合成樹脂製の部品であって、例えば自動車等の移動体に配索されるワイヤハーネスを保持したり位置決めしたりすることができるように形成されている。ワイヤハーネス保持クリップ２１は、様々な直径のワイヤハーネス（直径の大きなワイヤハーネス２２ａや直径の小さなワイヤハーネス２２ｂ。公知のものであり模式的に示すものとする）に対しガタ付きなく保持することができるように形成されている。先ず、構造について説明する。
【００１４】
ワイヤハーネス保持クリップ２１は、例えば図示しない車体パネルの貫通孔に嵌合して固定される固定部２３と、この固定部２３に連成される本体部２４とを有している。固定部２３は、貫通孔に挿通される支柱２５と、車体パネル裏面側の貫通孔縁部に引っ掛かる一対の係止羽根２６と、車体パネル表面を押圧する一対のパネル押圧部２７とを有している（固定部２３の形態は一例であるものとする。車体パネル等の取付対象部材への固定が可能であれば特に限定されないものとする）。
【００１５】
本体部２４は、所望の幅に形成される一対の対向し合う側壁２８、２９と、この一対の側壁２８、２９を繋ぐ底壁３０とを有している。本体部２４は、略枠状となる形状に形成されている。このような本体部２４における底壁３０の外面３１には、固定部２３が一体に設けられている（固定部２３の配置は一例であるものとする。例えば、底壁３０に連続するような底壁延長部を形成し、この底壁延長部に設けても良いものとする）。
【００１６】
一対の側壁２８、２９は、所定の間隔を有するように配置形成されている。また、一対の側壁２８、２９は、底壁３０に対して直交するように形成されている。一対の側壁２８、２９間には、収容対象範囲内の直径のワイヤハーネス、すなわち直径の大きなワイヤハーネス２２ａや直径の小さなワイヤハーネス２２ｂを一本収容するためのハーネス収容空間３２が形成されている。尚、一対の側壁２８、２９の間隔や高さ寸法は、直径の大きなワイヤハーネス２２ａに合わせて設定されている。一対の側壁２８、２９は、これらが内側に（ハーネス収容空間３２側に）若干撓むような弾性を有する肉厚に設定されている。
【００１７】
図中左側となる側壁２８の先端位置には、第一接触保持片３３が連成されている。第一接触保持片３３は、右斜め下方向に傾斜してハーネス収容空間３２を区画するように形成されている。第一接触保持片３３は、片持ち形状で弾性を有している。第一接触保持片３３は、本形態において、側壁２８よりも若干薄肉に形成されている。第一接触保持片３３は、直径の大きなワイヤハーネス２２ａや直径の小さなワイヤハーネス２２ｂを保持するための第一の接触保持部分として形成されている。
【００１８】
図中右側となる側壁２９の先端位置には、第二接触保持片３４が連成されている。第二接触保持片３４は、左斜め下方向に傾斜してハーネス収容空間３２を区画するように形成されている。第二接触保持片３４は、片持ち形状で弾性を有している。第二接触保持片３４は、本形態において、側壁２９よりも若干薄肉に形成されている。第二接触保持片３４は、第一接触保持片３３と対称の形状に形成されている。第二接触保持片３４は、直径の大きなワイヤハーネス２２ａや直径の小さなワイヤハーネス２２ｂを保持するための第二の接触保持部分として形成されている。
【００１９】
第一接触保持片３３の先端及び第二接触保持片３４の先端間は、直径の大きなワイヤハーネス２２ａや直径の小さなワイヤハーネス２２ｂをハーネス収容空間３２内に挿入するためのハーネス挿入部分３５として形成されている。
【００２０】
一対の側壁２８、２９の中間位置には、一対の側壁２８、２９に跨るようにアーチ状接触部３６が連成されている。アーチ状接触部３６は、ハーネス収容空間３２内を横切るようにのびる板状の部分であって、ハーネス挿入部分３５に向けて凸となり且つ弾性を有するように形成されている。また、アーチ状接触部３６は、これ自身の撓みが大きくなると上記凸の状態から凹の状態に反転（図２参照）する形状に形成されている。アーチ状接触部３６は、本形態において、図示の如くの円弧状でアーチ状の形状に形成されている（大きな曲率のアーチ形状。一例であるものとする）。アーチ状接触部３６は、一対の側壁２８、２９よりも若干薄肉に形成されている。アーチ状接触部３６は、直径の大きなワイヤハーネス２２ａや直径の小さなワイヤハーネス２２ｂを保持するための第三の接触保持部分として形成されている。
【００２１】
ハーネス収容空間３２における第一接触保持片３３及び第二接触保持片３４と、アーチ状接触部３６との間は、保持空間３２ａとなっている。また、ハーネス収容空間３２におけるアーチ状接触部３６と底壁３０との間は、アーチ状接触部３６の反転撓み空間３２ｂとなっている。
【００２２】
次に、図１ないし図３を参照しながらワイヤハーネス保持クリップ２１の作用（ワイヤハーネスの組み付けに係る本体部２４の作用）について説明する。
【００２３】
直径の小さなワイヤハーネス２２ｂの組み付けに係る作用としては、ハーネス挿入部分３５の上方から直径の小さなワイヤハーネス２２ｂを下方へ移動させると（図１参照）、第一接触保持片３３及び第二接触保持片３４が直径の小さなワイヤハーネス２２ｂの外面によって押され、これにより第一接触保持片３３及び第二接触保持片３４に撓みが生じるようになる（撓み方向は図１中の矢印参照）。この時、第一接触保持片３３及び第二接触保持片３４は、各先端間が広がるような状態で撓むようになる。
【００２４】
直径の小さなワイヤハーネス２２ｂを更に押し込んで下方への移動を続けると、直径の小さなワイヤハーネス２２ｂは凸の状態のアーチ状接触部３６に当接する。アーチ状接触部３６は、直径の小さなワイヤハーネス２２ｂに押されることにより若干の撓みが生じるようになる。
【００２５】
各部分の撓みは、第一接触保持片３３及び第二接触保持片３４の各先端間が直径の小さなワイヤハーネス２２ｂの直径分だけ広がるまで続き、この後、第一接触保持片３３及び第二接触保持片３４が元の状態に戻る方向に移動すると、アーチ状接触部３６もこの復元力により若干上方へ移動する。
【００２６】
以上により、直径の小さなワイヤハーネス２２ｂは、図２（ａ）及び図３（ａ）に示す如く、三つの接触保持部分（３３、３４、３６）の弾性的な接触により良好に保持される。
【００２７】
一方、直径の大きなワイヤハーネス２２ａの組み付けに係る作用としては、ハーネス挿入部分３５の上方から直径の大きなワイヤハーネス２２ａを下方へ移動させると（図１参照）、第一接触保持片３３及び第二接触保持片３４が直径の大きなワイヤハーネス２２ａの外面によって押され、これにより第一接触保持片３３及び第二接触保持片３４に大きな撓みが生じるようになる（撓み方向は図１中の矢印参照）。この時、第一接触保持片３３及び第二接触保持片３４は、各先端間が大きく広がるような状態で撓むようになる。
【００２８】
直径の大きなワイヤハーネス２２ａを更に押し込んで下方への移動を続けると、直径の大きなワイヤハーネス２２ａは凸の状態のアーチ状接触部３６に当接する。アーチ状接触部３６は、直径の大きなワイヤハーネス２２ａによって押されることにより大きな撓みが生じるようになる。そしてこの後、アーチ状接触部３６は、大きな撓みに伴って凸の状態から凹の状態へと反転して直径の大きなワイヤハーネス２２ａをあたかも受け止めるような状態になる。
【００２９】
アーチ状接触部４０が凹の状態に反転すると、一対の側壁２８、２９には内側に倒れ込むような引っ張りの力が作用する（図２（ｂ）及び図３（ｂ）中の矢印参照）。引っ張りの力が作用すると、第一接触保持片３３及び第二接触保持片３４は、直径の大きなワイヤハーネス２２ａに対してより強く接触する（抜け難い状態にもなる）。
【００３０】
以上により、直径の大きなワイヤハーネス２２ａは、図２（ｂ）及び図３（ｂ）に示す如く三つの接触保持部分（３３、３４、３６）の弾性的な接触により良好に保持される。
【００３１】
本発明によれば、様々な直径のワイヤハーネス（直径の大きなワイヤハーネス２２ａや直径の小さなワイヤハーネス２２ｂ、或いはこれら直径の中間となるワイヤハーネス）を三つの接触保持部分（３３、３４、３６）によってガタ付きのない良好な状態に保持することができる。
【００３２】
尚、三つの接触保持部分（３３、３４、３６）による保持を解除すれば、ワイヤハーネスの取り外し行うことができるのは勿論である。
【００３３】
続いて、図４及び図５を参照しながら本発明の他の一実施の形態を説明する。図４は他の一実施の形態を示す正面図であり、図４（ａ）は直径の小さなワイヤハーネスを保持した状態の図、図４（ｂ）は直径の大きなワイヤハーネスを保持した状態の図である。また、図５は図４のワイヤハーネス保持クリップを示す斜視図であり、図５（ａ）は直径の小さなワイヤハーネスを保持した状態の図、図５（ｂ）は直径の大きなワイヤハーネスを保持した状態の図である。
【００３４】
図４及び図５に示すワイヤハーネス保持クリップ２１は、図１ないし図３のワイヤハーネス保持クリップ２１に対して次の点が異なっている。すなわち、図示の如くアーチ状接触部３６′の形状のみが異なっている（配置や機能は同じである）。
【００３５】
アーチ状接触部３６′は、ハーネス収容空間３２内を横切るようにのびる板状の部分であって、ハーネス挿入部分３５に向けて凸となり且つ弾性を有するように形成されている。また、アーチ状接触部３６′は、これ自身の撓みが大きくなると上記凸の状態から凹の状態に反転する形状に形成されている。アーチ状接触部３６は、本形態において、一対の傾斜部分３６′ａと、この一対の傾斜部分３６′ａを連結する連結部分３６′ｂとを有する図示のようなアーチ形状に形成されている。連結部分３６′ｂは、直径の大きなワイヤハーネス２２ａや直径の小さなワイヤハーネス２２ｂの挿入方向に略直交する方向にのびるように形成されている。アーチ状接触部３６′は、一対の側壁２８、２９よりも若干薄肉に形成されている。
【００３６】
上記構成において、直径の大きなワイヤハーネス２２ａ及び直径の小さなワイヤハーネス２２ｂの組み付けに係る作用や効果は基本的に図１ないし図３のワイヤハーネス保持クリップ２１と同じである。
【００３７】
本発明は本発明の主旨を変えない範囲で種々変更実施可能なことは勿論である。
【図面の簡単な説明】
【００３８】
【図１】本発明の一実施の形態を示す図であり、（ａ）はワイヤハーネス保持クリップの正面図、（ｂ）はワイヤハーネス保持クリップの斜視図である。
【図２】図１のワイヤハーネス保持クリップを示す正面図であり、（ａ）は直径の小さなワイヤハーネスを保持した状態の図、（ｂ）は直径の大きなワイヤハーネスを保持した状態の図である。
【図３】図１のワイヤハーネス保持クリップを示す斜視図であり、（ａ）は直径の小さなワイヤハーネスを保持した状態の図、（ｂ）は直径の大きなワイヤハーネスを保持した状態の図である。
【図４】本発明の他の一実施の形態を示す正面図であり、（ａ）は直径の小さなワイヤハーネスを保持した状態の図、（ｂ）は直径の大きなワイヤハーネスを保持した状態の図である。
【図５】図４のワイヤハーネス保持クリップを示す斜視図であり、（ａ）は直径の小さなワイヤハーネスを保持した状態の図、（ｂ）は直径の大きなワイヤハーネスを保持した状態の図である。
【符号の説明】
【００３９】
２１  ワイヤハーネス保持クリップ
２２ａ  直径の大きなワイヤハーネス
２２ｂ  直径の小さなワイヤハーネス
２３  固定部
２４  本体部
２５  支柱
２６  係止羽根
２７  パネル押圧部
２８、２９  側壁
３０  底壁
３１  外面
３２  ハーネス収容空間
３３  第一接触保持片
３４  第二接触保持片
３５  ハーネス挿入部分
３６、３６′  アーチ状接触部
【図１】
0005123065.tif 000002
【図２】
0005123065.tif 000003
【図３】
0005123065.tif 000004
【図４】
0005123065.tif 000005
【図５】
0005123065.tif 000006